【手続補正書】
【提出日】平成28年2月26日(2016.2.26)
【手続補正１】
【補正対象書類名】明細書
【補正対象項目名】００５４
【補正方法】変更
【補正の内容】
【００５４】
本明細書で開示された具体的で例示的な構造、特徴、細部、形態などは、改変することが可能であり、かつ／又は多くの実施形態として組み合わせることが可能である点は当業者には明らかであろう。このような変形及び組み合わせはすべて、本発明者によって、例示的な説明としての役割を果たすべく選択された代表的な設計としてのみならず、想到される発明の境界内にあるものと思料されるものである。したがって、本発明の範囲は、本明細書に述べられる特定の例示的構造に限定されるべきではなく、請求項の文言により述べられる構造、及びそれらの構造の均等物にまで少なくとも敷衍される。記載される本明細書と、参照により本明細書に援用されるいずれかの文書の開示内容との間に矛盾又は食い違いが存在する場合、記載される本明細書が優先するものである。本発明の実施態様の一部を以下の項目［１］−［２２］に記載する。
[１]
フライヤークリーニング器具であって、
シート状クリーニングヘッドを有する第１の作用端と、第２のグリップ端とを有する細長いシャフトを備え、
前記シート状クリーニングヘッドは、端部が開放したスリット状キャビティを内部に有するシート状弾性フライヤークリーニングパッドを受けるように構成され、
前記クリーニングヘッドの主要部は、前記フライヤークリーニングパッドの前記キャビティ内に位置するように、前記フライヤークリーニングパッドを、前記クリーニングヘッド上に摺動可能に装着することができ、
前記クリーニングヘッドは、
所定の長さ、幅、及び厚さと、
前縁部、後縁部、第１の側縁部、及び第２の側縁部と、
第１の主面、及び第２の主面と、を有し、
前記第１の主面及び前記第２の主面は、前記フライヤークリーニングパッドの、互いに対面する第１の主クリーニング面及び第２の主クリーニング面を支持するように構成され、
前記クリーニングヘッドは、少なくとも１つの締結具を有し、
前記フライヤークリーニングパッドは、前記締結具によって、前記クリーニングヘッド上の所定位置に固定され得る、フライヤークリーニング器具。
[２]
前記クリーニングヘッドの前記前縁部、前記後縁部、前記第１の側縁部、及び前記第２の側縁部のうちの１つの少なくとも一部は、凹状外形を有する、項目１に記載の器具。
[３]
前記クリーニングヘッドは、前記クリーニングヘッドと前記シャフトとの連結部の横側面に位置する２つの後縁部分を有し、
前記後縁部分は、凹状外形を有する、項目２に記載の器具。
[４]
前記クリーニングヘッドと、前記シャフトの前記グリップ端との間の前記シャフトの部分は、ヒンジ連結部を有するか、又は、
前記クリーニングヘッドは、ヒンジ連結部によって、前記シャフトに連結され、
前記シャフトの前記グリップ端の長軸と、前記クリーニングヘッドの長軸との間の角度は、変更可能である、項目１に記載の器具。
[５]
前記クリーニングヘッドの前記前縁部は、テーパ状の縁部を含む、項目１に記載の器具。
[６]
前記クリーニングヘッドのテーパ状の前記前縁部は、クリーニングパッドが前記クリーニングヘッドに装着されていない場合に露出されるスクレーパーブレードを含む、項目５に記載の器具。
[７]
前記締結具は、第１の非拡張位置から第２の拡張位置へ移動可能な少なくとも１つの部分を有する、拡張可能な締結具であり、
前記第１の非拡張位置において、前記シート状クリーニングパッドを前記クリーニングヘッド上に摺動可能に装着することができ、
前記第２の拡張位置において、前記締結具の可動な前記部分の表面は、前記クリーニングパッドの前記スリット状キャビティ内の、該クリーニングパッドの表面を押圧し、前記クリーニングパッドを前記クリーニングヘッド上の所定位置に固定する、項目１に記載の器具。
[８]
前記締結具は、クランプ締結具であり、
該クランプ締結具は、
前記クリーニングヘッドの後端に配置され、
第１の非締め付け位置から第２の締め付け位置へと変化させることが可能であり、
前記第１の非締め付け位置において、前記シート状クリーニングパッドを前記クリーニングヘッド上に摺動可能に装着することができ、
前記第２の締め付け位置において、前記クランプ締結具の表面は、前記クリーニングパッドの後部に圧力を加えて、前記クリーニングパッドを前記クリーニングヘッド上の所定位置に固定する、項目１に記載の器具。
[９]
前記シート状クリーニングヘッド上に装着され、かつ該シート状クリーニングヘッドに着脱可能に取り付けられる弾性シート状フライヤークリーニングパッドを備え、
前記クリーニングヘッドの主要部は、前記フライヤークリーニングパッドの、端部が開放されたスリット状キャビティ内に位置し、
前記クリーニングパッドの、互いに対面する第１の主クリーニング面及び第２の主クリーニング面は、前記フライヤークリーニングパッドの、互いに対面する第１の主面及び第２の主面によって支持される、項目１に記載の器具。
[１０]
前記クリーニングパッドの前縁部、後縁部、第１の側縁部、及び第２の側縁部のうちの１つの少なくとも一部は、凹状外形を有する、項目９に記載の器具。
[１１]
前記クリーニングパッドの前記第１の主面の少なくとも一部は、前記シャフトの長軸に略平行な方向に沿う前記クリーニングパッドの長さの少なくとも５０％に亘って延在する凹状外形を有する、項目９に記載の器具。
[１２]
前記クリーニングパッドの前縁部、後縁部、第１の側縁部、及び第２の側縁部のうちの１つの少なくとも一部は、鋸歯状縁部を有する、項目９に記載の器具。
[１３]
前記クリーニングヘッドの前記前縁部の前方に位置決めされた前記クリーニングパッドの部分は、強化領域を有する、項目９に記載の器具。
[１４]
前記クリーニングパッドの前縁部は、テーパ状縁部を有し、
前記テーパ状縁部は、前記クリーニングパッドの前記前縁部が第１の前縁面及び第２の前縁面を有するように構成され、
前記第１の前縁面及び前記第２の前縁面は、少なくとも４５°だけ互いから離れる角度をなす、項目９に記載の器具。
[１５]
前記第１の前縁面の表面積が、前記第２の前縁面の表面積よりも少なくとも約２０％だけ大きくなるように、前記クリーニングパッドの、テーパ状の前記前縁部は、非対称的な楔形状を有する、項目１４に記載の器具。
[１６]
前記クリーニングパッドの前縁部に沿って離間して配置された複数のスリットを更に備える、項目９に記載の器具。
[１７]
前記クリーニングパッドの後縁部は、前記クリーニングヘッドの後端に配置されたクランプの表面を受けるように構成された切欠き部を有する、項目９に記載の器具。
[１８]
前記フライヤークリーニングパッドは、繊維状不織布ウェブから構成され、該繊維状不織布ウェブは、その繊維に結合された研磨粒子を含む、項目９に記載の器具。
[１９]
前記フライヤークリーニングパッドは、第１の研磨粒子を含む第１の層と、該第１の層の該第１の研磨粒子よりも研磨性が低い第２の研磨粒子を含む第２の層と、を有する多層パッドである、項目１８に記載の器具。
[２０]
多層の前記クリーニングパッドの前縁部は、非対称的な楔形状と、非対称的な多層構造と、を有する、項目１９に記載の器具。
[２１]
前記フライヤークリーニングパッドは、研磨粒子を含む少なくとも１つのクリーニング層と、液体クリーニング組成物を含む少なくとも１つのリザーバ層と、を有する多層クリーニングパッドであり、
前記リザーバ層は、前記器具の前記クリーニングヘッドをフライヤー表面に対して手動で押圧することによって前記リザーバ層に圧力が加えられたときに、前記液体クリーニング組成物の少なくとも一部を前記クリーニング層中に放出するように構成されている、項目１８に記載の器具。
[２２]
前記フライヤークリーニングパッドをフライヤー表面と接触させ、該フライヤー表面に亘って前後に移動させるように、項目９に記載の器具を手動で操作することを含む、フライヤーを掃除する方法。
【手続補正２】
【補正対象書類名】特許請求の範囲
【補正対象項目名】全文
【補正方法】変更
【補正の内容】
【特許請求の範囲】
【請求項１】
フライヤークリーニング器具であって、
シート状クリーニングヘッドを有する第１の作用端と、第２のグリップ端とを有する細長いシャフトを備え、
前記シート状クリーニングヘッドは、端部が開放したスリット状キャビティを内部に有するシート状弾性フライヤークリーニングパッドを受けるように構成され、
前記クリーニングヘッドの主要部は、前記フライヤークリーニングパッドの前記キャビティ内に位置するように、前記フライヤークリーニングパッドを、前記クリーニングヘッド上に摺動可能に装着することができ、
前記クリーニングヘッドは、
所定の長さ、幅、及び厚さと、
前縁部、後縁部、第１の側縁部、及び第２の側縁部と、
第１の主面、及び第２の主面と、を有し、
前記第１の主面及び前記第２の主面は、前記フライヤークリーニングパッドの、互いに対面する第１の主クリーニング面及び第２の主クリーニング面を支持するように構成され、
前記クリーニングヘッドは、少なくとも１つの締結具を有し、
前記フライヤークリーニングパッドは、前記締結具によって、前記クリーニングヘッド上の所定位置に固定され得る、フライヤークリーニング器具。
【請求項２】
前記シート状クリーニングヘッド上に装着され、かつ該シート状クリーニングヘッドに着脱可能に取り付けられる弾性シート状フライヤークリーニングパッドを備え、
前記クリーニングヘッドの主要部は、前記フライヤークリーニングパッドの、端部が開放されたスリット状キャビティ内に位置し、
前記クリーニングパッドの、互いに対面する第１の主クリーニング面及び第２の主クリーニング面は、前記フライヤークリーニングパッドの、互いに対面する第１の主面及び第２の主面によって支持される、請求項１に記載の器具。
【請求項３】
前記フライヤークリーニングパッドをフライヤー表面と接触させ、該フライヤー表面に亘って前後に移動させるように、請求項２に記載の器具を手動で操作することを含む、フライヤーを掃除する方法。